(57)【特許請求の範囲】
【請求項１】
互いに直交する縦方向と横方向と、肌対向面及びその反対側の非肌対向面と、前記横方向の寸法を二等分する縦軸とを有し、透液性の身体側ライナと、不透液性の裏面シートと、前記身体側ライナと前記裏面シートとの間に位置する吸液性コアとを有するパッド本体を含む男性用吸収パッドにおいて、
前記パッド本体は、前記肌対向面から前記非肌対向面側へ凹となる折曲誘導溝を有し、
前記折曲誘導溝は、前記縦軸と交差して斜めに延びる第１溝と、前記縦軸と交差し、かつ、前記第１溝と交差する方向へ延びる第２溝とを有し、
前記第１溝と前記第２溝との交点は前記縦軸上に位置し、
前記吸液性コアの単位面積当たりの質量は、前記横方向における両側域よりも前記両側域の間に位置する中央域の方が大きく、前記パッド本体は、着用状態においてスペースを形成するように前記折曲誘導溝を介して外方へ凸曲状に変形する凸曲変形域を有することを特徴とする前記吸収パッド。
【請求項２】
前記吸収パッドは、着用者の身体に対して上方に位置する第１端域と、前記第１端域と前記縦方向において離間対向する第２端域と、前記縦方向の寸法を二等分する横軸と、前記横軸から前記第１端域側に位置する第１区域と、前記横軸から前記第２端域側に位置する第２区域とを有し、前記第１溝と前記第２溝との交点は、前記第１区域に位置する請求項１記載の吸収パッド。
【請求項３】
前記第１端域の前記横方向の寸法は前記第２端域の前記横方向の寸法よりも大きい請求項２記載の吸収パッド。
【請求項４】
前記縦軸に沿う前記第１端域の端縁から前記交点までの前記縦方向の寸法は、前記縦軸に沿う前記吸収パッドの縦方向の寸法の約２５〜５０％の大きさである請求項２または３に記載の吸収パッド。
【請求項５】
前記第１及び第２溝は、前記交点に対して放射状に位置する凹溝部と、前記交点を含む交差部とを有し、前記交差部には溝が形成されていない請求項１〜４のいずれかに記載の吸収パッド。
【請求項６】
前記第１及び第２溝は、曲状を有する請求項１〜５のいずれかに記載の吸収パッド。
【請求項７】
前記第１溝と前記第２溝とが前記縦軸に関して対称に配置される請求項１〜６のいずれかに記載の吸収パッド。
【請求項８】
前記折曲誘導溝は、前記縦軸上において直状に延びる第３溝を含む請求項１〜７のいずれかに記載の吸収パッド。
【請求項９】
前記折曲誘導溝は、前記第２端縁側に位置する前記第１及び第２溝の間に位置して前記縦軸上において直状に延びる第１凹溝部と、前記第１凹溝よりも前記第２端縁側に位置し、前記縦軸から前記横方向の外側へ向かって斜めに延びる一対の第２凹溝部とを含む請求項２記載の吸収パッド。
【請求項１０】
前記第２凹溝部は、曲状を有する請求項９記載の吸収パッド。
【請求項１１】
前記折曲誘導溝は、その長さ方向において交互に配置される凸部と凹部とを有する圧搾条溝である請求項１〜１０のいずれかに記載の吸収パッド。
【請求項１２】
前記吸液性コアの前記中央域は、前記横軸の位置する中間部分と、前記縦方向において離間する両端部分とを有し、前記縦方向において離間対向する前記吸収パッドの第１及び第２端域のうち、前記第２端域側に位置する一端部分における単位面積当たりの質量が、前記中間部分の単位面積当たりの質量よりも大きい請求項１〜１１のいずれかに記載の吸収パッド。
【発明の詳細な説明】
【技術分野】
【０００１】
本発明は、複数の凹状溝を有する男性用吸収パッドに関する。
【背景技術】
【０００２】
従来、パンツ等の下着とともに使用される吸液性の吸収パッドは公知である。例えば、特許文献１の吸収パッドは、身体側ライナと、裏面シートと、身体側ライナと裏面シートとの間に介在する吸液性コアとを含み、吸液性コアには縦軸に関して対称に形成され縦方向へ延びる一対の縦線状溝と、縦線状溝の縦方向の外側に位置し、横軸に関して対称に形成され横方向へ延びる一対の横線状溝とが形成される。
【先行技術文献】
【特許文献】
【０００３】
【特許文献１】特開２００９−８２４８０号公報
【発明の概要】
【発明が解決しようとする課題】
【０００４】
かかる吸収パッドは、着用状態において、縦線状溝及び横線状溝を介して吸液性コアが折れ曲がり、縦方向における両端域が着用者の肌側に向けて凸曲するとともに、縦線状溝に重なる部分又は縦線状溝の間の部分に位置する吸液性コアが着用者の肌側に向けて凸曲するので、肌に対するフィット性を向上させることができる。しかし、かかる構成を有する吸収パッドを男性用の吸収パッドとして使用した場合には、肌側へ凸曲した部分が陰茎等に当たって着用者に違和感や不快感を与えてしまうおそれがある。また、内方へ凸曲した部分が陰茎等に押し当てられることによって吸液性コアが不規則に変形して、吸収パッドと着用者の身体との間に隙間が形成されてフィット性が低下し、尿が漏れ出る原因となるおそれがある。
【０００５】
そこで、本発明の課題は、従来の技術の改良であって、身体の形状に合わせて一部を外方へ凸曲させることによってフィット性を向上させることのできる男性用吸収パッドの提供に関する。
【課題を解決するための手段】
【０００６】
上記課題を達成するために、本発明が対象とするのは、互いに直交する縦方向と横方向と、肌対向面及びその反対側の非肌対向面と、前記横方向の寸法を二等分する縦軸とを有し、透液性の身体側ライナと、不透液性の裏面シートと、前記身体側ライナと前記裏面シートとの間に位置する吸液性コアとを有するパッド本体を含む男性用吸収パッドである。
【０００７】
本発明は、上記男性用吸収パッドにおいて、前記パッド本体は、前記肌対向面から前記非肌対向面側へ凹となる折曲誘導溝を有し、前記折曲誘導溝は、前記縦軸と交差して斜めに延びる第１溝と、前記縦軸と交差し、かつ、前記第１溝と交差する方向へ延びる第２溝とを有し、前記第１溝と前記第２溝との交点は前記縦軸上に位置し、前記吸液性コアの単位面積当たりの質量は、前記横方向における両側域よりも前記両側域の間に位置する中央域の方が大きく、前記パッド本体は、着用状態においてスペースを形成するように前記折曲誘導溝を介して外方へ凸曲状に変形する凸曲変形域を有することを特徴とする。
【発明の効果】
【０００８】
本発明に係る男性用吸収パッドの一つ以上の実施形態によれば、折曲誘導溝を介して吸収パッドを外方へ凸曲状に変形させることができ、凸曲した部分によって陰茎等を包み込むことができるため、男性用吸収パッドのフィット性を向上させることができる。
【図面の簡単な説明】
【０００９】
図面は、本発明の特定の実施の形態を示し、発明の不可欠な構成ばかりでなく、選択的及び好ましい実施の形態を含む。
【図１】吸収パッドの斜視図。
【図２】吸収パッドの一部破断平面図。
【図３】吸収パッドの一部破断裏面図。
【図４】図２のＩＶ−ＩＶ線断面図。
【図５】図２のＶ−Ｖ線に沿う模式的断面図。
【図６】パッド本体の平面図。
【図７】図６のＶＩＩ−ＶＩＩ線断面図。
【図８】パッド本体の一部拡大図。
【図９】吸収パッドの装着状態を例示する斜視図。
【図１０】図９のＸ−Ｘ線に沿う模式的断面図。
【図１１】吸収パッドの他の実施態様を示す平面図。
【図１２】吸収パッドの他の実施態様を示す平面図。
【図１３】吸収パッドの他の実施態様を示す平面図。
【図１４】吸収パッドの他の実施態様を示す図５と同様の図。
【発明を実施するための形態】
【００１０】
下記の実施の形態は、図１〜１４に示す男性用吸収パッドに関し、発明の不可欠な構成ばかりではなく、選択的及び好ましい構成を含む。
【００１１】
＜第１実施形態＞
図１〜５は、本発明に係る男性用吸収パッド１０の一例を示す。吸収パッド１０は、互いに直交する縦方向Ｙと横方向Ｘと、肌対向面及びその反対側の非肌対向面と、縦方向Ｙへ沿って延び、かつ、横方向Ｘにおける寸法Ｗ１を二等分する縦軸Ｐと、横方向Ｘへ沿って延び、かつ、縦方向Ｙにおける寸法Ｌ１を二等分する横軸Ｑとを有する。吸収パッド１０は、縦軸Ｐに関して対称に形成されるとともに、縦方向Ｙにおいて互いに対向する曲状の第１端縁１０ａ及び第２端縁１０ｂと、それらの間において縦方向Ｙへ延びる両側縁１０ｃ，１０ｄとによって画定される。また、吸収パッド１０は、第１端縁１０ａ側に位置する第１端域１１と、第２端縁１０ｂ側に位置する第２端域１２と、それらの間に位置して縦方向へ延びる両側域１４とを有する。第１端縁１０ａは、第２端縁１０ｂよりも緩やかにカーブした曲状であって、横方向Ｘの寸法が大きく、第１端域１１は第２端域１２よりも幅広に形成される。吸収パッド１０は、かかる平面視形状のほかに、後記の本願発明の効果を奏する限りにおいて、円形や矩形状などの各種公知の平面視形状であってもよい。吸収パッド１０は、説明の便宜上、横軸Ｑから第１端縁１０ａ側に位置する第１区域１６と横軸Ｑから第２端縁１０ｂ側に位置する第２区域１７とに区分される。
【００１２】
吸収パッド１０は、その全体形状をなすパッド本体２０と、パッド本体２０の両側域に配置された一対のバリアカフシート（封じ込めシート）５０と、第１端域１１と第２端域１２とに位置して吸収パッド２０を被覆する第１及び第２カバーシート６１，６２とを含む。パッド本体２０と、バリアカフシート５０および第１及び第２カバーシート６１，６２とは、吸収パッド１０の外周縁に沿って延びる熱溶着手段によって形成されたシール部１８によって互いに積層された状態で固定される。
【００１３】
パッド本体２０は、肌対向面側に位置する身体側ライナ２１と、非肌対向面側に位置する裏面シート２２と、身体側ライナ２１及び裏面シート２２の間に位置する吸液性コア２３とを含む。また、身体側ライナ２１と吸液性コア２３との間には、オプションとして、クッションシート２４が配置される。パッド本体２０には、肌対向面側から非肌対向面側へ凹となる折曲誘導溝４０が設けられている。
【００１４】
身体側ライナ２１及びクッションシート２４は、透液性を有する繊維不織布から形成されており、例えば、質量約１５〜４０ｇ／ｍ２の親水性スパンボンド繊維不織布、ポイントボンド繊維不織布又はエアスルー不織布等の各種公知の繊維不織布を用いることができる。裏面シート２２は、不透液性の繊維不織布、プラスチックフィルム又はそれらのラミネートシートから形成されており、繊維不織布から形成される場合には、例えば、質量約１０〜３０ｇ／ｍ２のスパンボンド・メルトブローン・スパンボンド（ＳＭＳ）繊維不織布又はスパンボンド繊維不織布を用いることができる。
【００１５】
身体側ライナ２１及びクッションシート２４の質量が約１５ｇ／ｍ２未満の場合には、比較的に強度が低下するので、折曲誘導溝４０を形成する際にそれらのシート２１，２４の一部が破れて吸液性コア２３が露出するおそれがある。また、それらのシート２１，２４の質量が約４０ｇ／ｍ２超の場合には、シート全体が比較的に嵩高となり、それらの積層シートとともに吸液性コア２３に折曲誘導溝４０を形成し難くなる。クッションシート２４は、クッション性を向上させるために身体側ライナ２１よりも嵩高であって、バリアカフシート５０間に位置する身体側ライナ２１が露出した中央域には、身体側ライナ２１を介して透視される着色要素を配置してもよい。クッションシート２４の中央域に着色要素が配置される場合には、着用者がパッド本体２０の内面に陰茎をあてがうときに、陰茎を該中央域と当接する位置に容易に配置することができる。
【００１６】
吸液性コア２３は、吸収パッド１０とほぼ同形に賦型されたものであって、木材フラッフパルプ、超吸収性ポリマー粒子（ＳＡＰ）、オプションとして熱可塑性繊維を含む混合物から形成された吸収性の芯材と、芯材を包被するティッシュペーパ等の液拡散性シートとから構成される。
【００１７】
バリアカフシート５０は、第１端縁１０ａから第２端縁１０ｂに向かって次第にテーパとなる形状を有する不透液性の繊維不織布から形成されている。バリアカフシート５０は、シール部１８によって他のシート部材とともに固定された近位縁部５１と、第1及び第２端域１１，１２においてホットメルト接着剤を介して身体側ライナ２１に固定された固定両端部と、固定両端部間において縦方向Ｙへ延びる、バリアカフシート５０の内側縁を内方へ折り返すことによって形成されたスリーブ状の遠位縁部５２とを有する。バリアカフシート５０の遠位縁部５２には、縦方向Ｙへ延びるストリング状又はストランド状のカフ弾性要素５３が収縮可能に固定される。遠位縁部５２は、おむつ１０の着用状態において、カフ弾性要素５３の収縮作用によって身体側ライナ２１の肌対向面から着用者の身体側へ離間し、尿の横漏れを防止するための一対のバリアカフ（立体カフ）が形成される。
【００１８】
パッド本体２０において、身体側ライナ２１、クッションシート２４及び裏面シート２２は、吸液性コア２３の外周縁から外方へ延出しており、それらのシートの該延出部分は、シール部１８とともにホットメルト接着剤や熱溶着等の公知の接合手段によって互いに接合される。それらの接合された該延出部分及びバリアカフシート５０の近位縁部５１とによって、吸液性コア２３の両側縁から横方向Ｘの外側に位置するサイドフラップが形成され、該延出部分とバリアカフシート５０の固定両端部及び第１及び第２カバーシート６１，６２の固定両側部６１ａ，６２ａとによって、吸液性コア２３の両端縁から縦方向Ｙの外側に位置するエンドフラップが形成される。
【００１９】
図３を参照すると、吸収パッド１０の裏面側、すなわち、裏面シート２２の外面には、下着等の着衣に吸収パッド１０を取り付けるための、感圧性接着剤から形成された、縦方向Ｙへ延びる複数条の留付部３０が配置される。留付部３０は、横軸Ｑと交差して第１端域１１から第２端域１２へ延びる中央留付部３１と、第１端域１１側において中央留付部３１の両側に位置するサイド留付部３２とを有する。中央留付部３１及びサイド留付部３２は、プラスチック製又は繊維不織布製のセパレータ３３で被覆される。
【００２０】
図２及び４を参照すると、吸液性コア２３は、折曲誘導溝４０が配置された中央域３５と、中央域３５の両側に位置する両側域３６とを有する。吸液性コア２３の中央域３５の厚さは、両側域３６の厚さよりも大きくなっている。中央域３５と両側域３６との間に境界近傍では、内方へ向かって吸液性コア２３の厚さが次第に大きくなるように変化しており、吸液性コア２３の中央域３５における質量は２００〜８００ｇ／ｍ２であり、両側域３６における質量は１００〜３００ｇ／ｍ２である。中央域３５における質量が２００ｇ／ｍ２未満の場合、折曲誘導溝４０の深さが浅くなって折り曲げ部として機能し難くなり、８００ｇ／ｍ２超の場合、厚くなり過ぎて着用者に違和感を与える可能性がある。両側域３６における質量が１００ｇ／ｍ２未満の場合、剛性が低くなって形状を維持することが困難になり、３００ｇ／ｍ２超の場合、厚くなり過ぎて着用者に違和感を与える可能性がある。
【００２１】
図５を参照すると、吸液性コア２３の両端縁部２３ａ，２３ｂでは、肉薄に形成されている。このように、吸液性コア２３において、両側域３６を中央域３５に比して肉薄に形成し、かつ、中央域３５において両端縁部２３ａ，２３ｂをその他の部分に比して肉薄にすることによって、吸液性コア２３の外周縁とそれに隣接するエンドフラップ及びサイドフラップとにおける急激な厚さの変化（段差）を抑制することができる。したがって、大きな段差によって吸液性コア２３の外形輪郭が吸収パッド１０を取り付けた下着の外面に凸状に現れることはなく、吸収パッド１０の外周縁部を着用者の身体によりフィットさせることができる。
【００２２】
図２及び５を参照すると、第１及び第２カバーシート６１，６２は、それぞれ、第１端縁１０ａ及び第２端縁１０ｂ側においてバリアカフシート５０に固定された固定両側部６１ａ，６２ａと、固定両側部６１ａ，６２ａ間においてパッド本体２０の中央域１５を被覆する被覆部６１ｂ，６２ｂとを有する。図４及び５に示すとおり、バリアカフが起立することによって第１及び第２カバーシート６１，６２の被覆部６１ｂ，６２ｂは、パッド本体２０の中央域１５に位置する身体側ライナ２１から離間し、被覆部６１ｂ，６２ｂと身体側ライナ２１との間には、第１及び第２ポケット６４，６５が形成される。
【００２３】
図６を参照すると、吸液性コア２３に形成された折曲誘導溝４０は、身体側ライナ２１から吸液性コア２３に向かって圧搾された凹状のラインであって、縦軸Ｐに対して斜めに交差する第１溝４１と、第１溝４１と交差する方向へ延びる第２溝４２とを有する。第１及び第２溝４１，４２は、その製造工程において、パッド本体２０を凸状に一連に延びるプレートを使用したプレス工程によって局所的に加圧、加熱処理して形成したり、周面に凹凸が交互に配置されたギアによって局所的に圧搾することによって形成される。このように、吸収パッド１０の一部を圧搾して形成された第１及び第２溝４１，４２を形成することによって、第１及び第２溝４１，４２の位置する吸液性コア２３の密度は他の部分に比して高密度になっている。
【００２４】
第１及び第２溝４１，４２は、本実施形態のように圧搾して形成するほかに、対応する部分における吸液性コア２３の質量を他の領域に比して低くすることによって、凹状に形成することもできる。具体的には、例えば、成形型内の通気底面に該成形型の深さ方向に適宜隆起する通気凸部を形成した成形型を使用して形成することができる。この場合、前記通気凸部における原材料の集積厚さは、吸液性コア２３の他の部分の厚さよりも薄く、その薄い分だけ単位面積当りの質量が小さくなる。このように、吸液性コア２３の一部を取り除く（又は予め質量を低く設定する）ことによって凹状ラインを形成することができるが、かかる形成工であっても、体液の漏れを防止するために、第１及び第２溝４１，４２は吸液性コア２３全体を貫通する透孔ではなく、有底の溝であることが好ましい。
【００２５】
図６〜８を参照すると、パッド本体２０は、吸収パッド１０の第１及び第２端縁１０ａ，１０ｂ（図２参照）と重なる第１及び第２端縁２０ａ，２０ｂと、吸収パッド１０の両側縁１０ｃ，１０ｄと重なる両側縁２０ｃ，２０ｄとを有する。第１及び第２溝４１，４２は、縦軸Ｐに対して傾斜して延びており、第１区域１６（図２参照）において縦軸Ｐ上に位置する交点Ｍにおいて互いに交差する。第１及び第２溝４１，４２は、それぞれ、凸部７１と凹部７２とを有する一対の凹溝部（第１部分）４１ａ，４２ａと、凹溝部４１ａ，４２ａ間に位置する交点Ｍを含めた交差部（第２部分）４１ｂ，４２ｂとを有する。本実施形態において、第１及び第２溝４１，４２の交差部４１ｂ，４２ｂには、凹溝部４１ａ，４２ａと異なり、凹溝が実際に形成されておらず、図６において仮想線で示されている。ただし、後記の本発明の効果を奏する限りにおいて、交差部４１ｂ，４２ｂにおいても実際に凹溝が形成されていてもよい。ここで、「第１及び第２溝４１，４２が交差する」とは、本実施形態のように、実際に凹溝が形成されていない交差部４１ｂ，４２ｂにおいて第１及び第２溝４１，４２が交差する場合と、交差部４１ｂ，４２ｂにおいても凹溝が形成されており、凹溝どうしが実際に互いに交差する場合とを含むものである。凹溝が形成される部位では、パッド本体２０の剛性が高くなるため、第１及び第２溝４１，４２が近接する交差部４１ｂ，４２ｂにおいて凹溝を形成しないことにより、交差部４１ｂ，４２ｂにおける剛性の増加を防止し、着用感を良好にすることができる。
【００２６】
第１及び第２溝４１，４２の凹溝部４１ａ，４２ａは、それぞれ、縦軸Ｐ側に位置する曲状部位４４，４５と、曲状部位４４，４５の外端から屈曲して縦方向Ｙの外側へ延びる直状部位４６，４７とを有する。各寸法において一例を挙げると、第１及び第２溝４１，４２の第１端縁２０ａ側の端縁から第２端縁２０ｂ側の端縁までの長さ寸法Ｌ２は約９０ｍｍ、凹溝部４１ａ，４２ａの幅寸法Ｗ２は約２ｍｍ、交差部４１ｂ，４２ｂが存在する領域、すなわち、凹溝部４１ａ，４２ａの内端に囲まれた溝が形成されていない非圧搾域４８の縦方向Ｙにおける寸法Ｌ３は約１５ｍｍ、各溝４１，４２の縦方向Ｙにおける寸法Ｌ４は約７５ｍｍであって、寸法Ｌ３が寸法Ｌ４の約１０〜５０％の大きさを有する。折曲誘導溝４０によってパッド本体２０を折曲して着用者の陰茎を包み込むように収容するためには、折曲誘導溝４０の中心周辺が陰茎と対向して配置されていることが必要であって、折曲誘導溝４０をかかる適正な位置に配置するために、縦軸Ｐに沿う第１端縁２０ａから交点Ｍまでの寸法Ｌ５が縦軸Ｐに沿うパッド本体２０全体の縦方向Ｙの寸法（吸収パッドの縦方向Ｙの寸法Ｌ１と同じ）の約２５〜５０％の大きさであることが好ましい。
【００２７】
第１及び第２溝４１，４２は、それらの直状部位４６，４７を除き、全体として曲状を有しており、第１端縁２０ａ側へ延びる凹溝部４１ａ，４２ａと第２端縁２０ｂ側へ延びる凹溝部４１ａ，４２ａとは異なる方向へ湾曲している。また、各凹溝部４１ａ，４２ａは、交点Ｍを中心として放射状に配置されている。第１及び第２溝４１，４２の各凹溝部４１ａ，４２ａの長さ寸法はほぼ同一であって、縦軸Ｐを挟んで互いに対向する凹溝部４１ａ，４２ａは縦軸Ｐに関して対称に配置される。第１及び第２溝４１，４２は、全体として直線状であってもよいし、内端から外端まで全体的に曲状に形成されていてもよい。
【００２８】
図８（ａ），（ｂ）を参照すると、かかる形状を有する折曲誘導溝４０において、第１及び第２溝４１，４２の各凹溝部４１ａ，４２ａは、横方向Ｘの外側から内側へ向かって力が加えられたときに、それを起点として吸収パッド１０が折曲されて、第１及び第２溝４１，４２に囲まれた領域（凸曲変形域）が肌対向面側から非肌対向面側へ向かって凸曲される。具体的には、交点Ｍを中心として放射状に位置する凹溝部４１ａ，４２ａが折曲されて、それらの間に位置する部分４９が周壁７０となって交点Ｍ周辺に位置する非圧搾域４８を取り囲み、凸曲変形域はカップ形状を呈する。このように凸曲変形域が全体としてカップ形状を呈するためには、４本以上の凹溝部４１ａ，４２ａが非圧搾域４８（底部）の周方向において所与寸法離間して配置されていることが好ましい。配置される凹溝部４１ａ，４２ａの数が多くなるほどに周壁７０の強度が向上してより安定的にカップ形状を形成することができるが、凹溝部４１ａ，４２ａが集中的に配置されることによって凸曲変形域の剛性が高くなり、着用者の肌に触れると違和感を与えるおそれがある。したがって、周壁７０を形成する凹溝部４１ａ，４２ａの本数は４〜８本であることが好ましい。
【００２９】
再び、図７を参照すると、凹溝部４１ａ（凹溝部４２ａの構成も同じ）は、その長さ方向へ向かって交互に配置された凸部７１と凹部７２とを有する。凹部７２における吸液性コア２３の厚さ寸法Ｄ２（吸液性コア２３の底面から凹部７２の位置する部分までの離間寸法）は、折曲誘導溝４０が位置していない吸液性コア２３の厚さ寸法Ｄ１の約１０〜５０％の大きさを有する。厚さ寸法Ｄ１に対する厚さ寸法Ｄ２の大きさが１０％未満の場合には、凹溝部４１ａが比較的に深く形成されて、吸液性コア２３の圧縮された部分の剛性が比較的に高くなり着用者に違和感を与えるおそれがある。一方、厚さ寸法Ｄ１に対する厚さ寸法Ｄ２の大きさが５０％超の場合には、溝が比較的に浅く、他の領域との剛性の差が小さくなるので、吸液性コア２３を所定形状に変形し難くなるおそれがある。このように、凹溝部４１ａ，４２ａは、エンボス加工によってその長さ方向へ凸部７１と凹部７２とが交互に配置されていることによって、凹凸のない平坦な溝に比してその幅方向に曲げ難くなるので、吸収パッド１０が着衣に取り付けられて湾曲したときに、周壁７０を形成する凹溝部４１ａ，４２ａの凹溝形状が崩れてしまうことはない。
【００３０】
図９及び１０を参照すると、吸収パッド１０は、全体として着用者の身体に宛がわれて湾曲状を呈し、折曲誘導溝４０を介して凸曲変形域において外方へ（着衣側へ）凸曲状に変形する。この変形により、凸曲変形域を形成する周壁７０と底壁（非圧搾域４８）内に陰茎７５を包み込むように収容しうるスペースが形成される。吸収パッド１０の陰茎７５と対向する部分が平面形状を有する場合には、陰茎７５が吸収パッド１０にフィットせず、着用感が悪く、かつ、吸収パッド１０と陰茎７５との間に形成された隙間から尿が漏れ出るおそれがある。本実施形態に係る吸収パッド１０においては、凸曲変形域によって形成されたスペースに陰茎７５が位置し、吸収パッド１０が陰茎７５にフィットされるので、着用感に優れ、陰茎７５と吸収パッド１０との間に尿が横漏れするような隙間が形成されるおそれはない。
【００３１】
既述のとおり、各凹溝部４１ａ，４２ａは、最も肉薄の凹部７２においても吸液性コア２３全体の厚さ寸法Ｄ１に対して少なくとも１０％以上の厚さ寸法Ｄ２を有するものであるから、凹溝部４１ａ，４２ａには所要の比較的に高密度の吸液性コア２３が配置されている。したがって、それらに進入した尿は速やかに吸収されるとともに、一部の尿は上方から下方へ（第１端縁１０ａから第２端縁１０ｂ側へ）吸液性コア２３全体に拡散される。また、吸収パッド１０全体が湾曲状を呈することによって、カフ弾性要素５３が伸長されてバリアカフが起立して、尿の横漏れを効果的に防止するとともに、凸曲変形域及びバリアカフによって形成されたスペース内に陰茎７５及び陰嚢７６の一部が包みこまれるように収容されることによって、よりフィット性が向上する。
【００３２】
更に、バリアカフが起立されることによって、第１及び第２カバーシート６１，６２と身体側ライナ２１との間には第１及び第２ポケット６４，６５が形成される。第１ポケット６４が形成されることによって、陰茎７５の先端が上方を向いた状態（第１端縁１０ａ側へ向いた状態）で凸曲変形域内に位置する場合には、尿道口が身体形状に沿って湾曲された第１端域１１と対向する。かかる状態において、尿道口から排泄された尿流が第１ポケット６４の内面に当たるので、第１ポケット６４は尿が吸収パッド１０の外部に排泄されるのを防止するための（上方）防漏壁としての機能を果たす。また、第２カバーシート６２による第２ポケット６５が形成されることによって、陰茎７５の先端が下方へ向いた状態（第２端縁１０ｂ側へ向いた状態）で凸曲変形域内に位置する場合には、尿道口が着用者の股下部に沿って屈曲された第２端域１２と対向する。かかる状態において尿道口から排泄された尿流が第２ポケット６５の内面に当たるので、第２ポケット６５は尿が第２端縁１０ｂを越えて外部に漏れ出るのを防ぐための（下方）防漏壁としての機能を果たすとともに、その内部に進入した尿を一時的に貯留して吸収する機能をも有する。
【００３３】
＜第２実施形態＞
図１１（ａ）を参照すると、本実施形態においては、折曲誘導溝４０は、第１及び第２溝４１，４２のほかに、縦軸Ｐ上において直状に延びる第３溝８０を有する。第３溝８０は、第１及び第２溝４１，４２の凹溝部４１ａ，４２ａの内端近傍から第２端縁２０ｂ側へ向かって延びており、凹溝部４１ａ，４２ａとほぼ同一の幅寸法及び厚さ寸法を有する。かかる実施形態においても、各凹溝部４１ａ，４２ａ，８０が交点Ｍを中心として放射状に延びていることから、凸曲変形域は陰茎を包み込むようなカップ形状を呈するとともに、第１及び第２溝４１，４２のみの場合に比して凸曲変形域によるスペースがより大きく形成される。本実施形態のほかに、第３溝８０は、縦軸Ｐ上において第１端縁２０ａ側へ延びていてもよいし、縦軸Ｐ上において直線状に延びるラインのほかに、その両側に斜めに延びる直線又は曲線のラインが配置されていてもよい。第３溝８０が交点Ｍから第１端縁２０ａ側へ延びることにより、陰茎先端の収容スペースを広く確保して、着用時における違和感をより低減することができる。また、図１１（ａ）に示すように、第３溝８０が交点Ｍから第２端縁２０ｂ側へ延びる場合には、陰茎の股下部側への収容スペースを広く確保することができ、これにより着用時における違和感をより低減することができる。
【００３４】
図１１（ｂ）は、第２実施形態における変更例に一例を示すものであって、本実施態様においては、折曲誘導溝４０の第３溝８０は、縦軸Ｐ上に位置し、交点Ｍに関して対称となるように第１端縁２０ａ側及び第２端縁２０ｂ側へ延びる溝から形成される。第３溝８０は、第１及び第２溝４１，４２とともに交点Ｍを中心として放射状に延びているので、凸曲変形域は陰茎を包み込むように変形されるとともに、周壁７０（図８（ｂ）参照）に形成される凹溝部の間隔を狭くすることによって、より形状の安定したカップ形状を形成することができる。
【００３５】
＜第３実施形態＞
図１２を参照すると、本実施形態において、折曲誘導溝４０は、第１及び第２溝４１，４２のほかに、それらの交点Ｍと重なって位置する第３溝８０を有する。第３溝８０は、第１及び第２溝４１，４２の凹溝部４１ａ，４２ａと離間し、かつそれらと同様の幅寸法及び厚さ寸法を有するものであって、縦軸Ｐ上において直状に延びている。凸曲変形域の中央部に第３溝８０が配置されることによって、凸曲状に変形される吸収パッド１０の外面の先端がややテーパ状になって、より立体的な凸曲形状を形成し得る。また、縦軸Ｐに沿って延びる第３溝８０の両端に、縦軸Ｐの外側へ傾斜して延びる第１及び第２溝４１，４２が配置されることにより、折曲誘導溝４０によって囲まれた凸曲変形域の幅寸法（横方向Ｘにおける寸法）を大きくして、凸曲変形域における吸収面積を広く確保することができる。更に、凸曲変形域の縦方向Ｙにおける両端部では、縦軸Ｐに沿った凹溝が形成されていないため、該両端部において凸状変形域を横方向Ｘに緩やかにカーブさせることができ、着用時における違和感をより一層低減してフィット性を向上させることができる。
【００３６】
＜第４実施形態＞
図１３を参照すると、本実施形態において、折曲誘導溝４０は、第１及び第２溝４１，４２のほかに、それらよりも第２端縁２０ｂ側に位置する第３溝８０とを有する。第３溝８０は、凹溝部４１ａ，４２ａ間に位置し、かつ、縦軸Ｐ上において直状に延びる第１凹溝部８１と、縦軸Ｐから横方向Ｘの外側へ向かって斜めに延びる一対の第２凹溝部８２とを有する。第１及び第２凹溝部８１，８２は、凹溝部４１ａ，４２ａと同様の幅寸法及び厚さ寸法を有し、それらが形成されることによって凸曲変形域の縦方向Ｙにおける寸法は大きくなる。よって、第１〜第３溝４１，４２，８０に沿って吸収パッド１０を折曲することによって、第１及び第２溝４１，４２のみが形成される場合に比してさらに大きなカップ形状を形成することができる。
【００３７】
図１４は、第４実施形態の変形例であって、該実施例において、吸液性コア２３の中央域３５は、縦方向Ｙに離間する両端部分と、横軸Ｑが位置する中間部分とを有する。吸液性コア２３の中央域３５において、第２端域１２側に位置する縦方向Ｙの一端部分の単位面積当たりの質量は、他の部分に比して大きく肉厚であって、高吸収性域８５が形成される。高吸収性域８５における吸液性コア２３の単位面積当たりの質量は、３００〜１０００ｇ／ｍ２である。質量が３００ｇ／ｍ２未満の場合、十分な吸収性能を確保できない可能性があり、１０００ｇ／ｍ２超の場合、厚くなり過ぎて着用者に違和感を与える可能性がある。高吸収性域８５と、他の領域８４（縦方向Ｙにおける他端部分及び中間部分）との境界８５ａは、第２カバーシート６２による第２ポケット６５の開口端近傍に位置しており、第２ポケット６５内には高吸収性域８５が位置するので、第２ポケット６５内に滞留した比較的に多量の尿を吸収することができる。また、境界８５ａにおいて吸収パッド１０の剛性が変化することによって第２ポケット６５全体を着用者の股下部に沿うように屈曲させることができるので、吸収パッド１０のフィット性を向上させることができる。さらに、第２ポケット６５の両側が着用者の大腿部間に挟まれた状態で屈曲されることによって、第２カバーシート６２の被覆部６２ｂがより身体側へ向かって凸となり、第２ポケット６５の開口がより大きく形成され、身体側ライナ２１の表面を伝って流れ落ちてきた尿を確実に第２ポケット６５内に進入させることができる。折曲誘導溝４０は、中央域３５の中間部分及び縦方向Ｙにおける他端部分、すなわち領域８４に形成される。
【００３８】
尚、図１１〜１３に示す実施形態では、吸収パッド１０のパッド本体２０のみを図示しているが、パッド本体２０に形成される折曲誘導溝４０以外の構成は第１実施形態と同様である。また、特に本明細書に記載のない限りにおいて、吸収パッド１０の構成部材としてこの種の分野で通常使用される各種公知の材料を制限なく用いることができる。
【００３９】
以上に記載した本発明に関する開示は、少なくとも下記事項に整理することができる。
【００４０】
互いに直交する縦方向Ｙと横方向Ｘと、肌対向面及びその反対側の非肌対向面と、横方向Ｘの寸法を二等分する縦軸Ｐとを有し、透液性の身体側ライナ２１と、不透液性の裏面シート２２と、身体側ライナ２１と裏面シート２２との間に位置する吸液性コア２３とを有するパッド本体２０を含む男性用吸収パッド１０において、パッド本体２０は、前記肌対向面から前記非肌対向面側へ凹となる折曲誘導溝４０を有し、折曲誘導溝４０は、縦軸Ｐと交差して斜めに延びる第１溝４１と、縦軸Ｐと交差し、かつ、第１溝４１と交差する方向へ延びる第２溝４２とを有し、第１溝４１と第２溝４２との交点Ｍは縦軸Ｐ上に位置する吸収パッド１０。
【００４１】
上記段落００４０に開示した本発明は、少なくとも下記の実施の形態を含むことができる。該実施の形態は、分離して又は互いに組み合わせて採択することができる。
（１）吸収パッド１０は、縦方向Ｙにおいて離間対向する第１及び第２端域１１，１２と、縦方向Ｙの寸法を二等分する横軸Ｑと、横軸Ｑから第１端域１１側に位置する第１区域１６と、横軸Ｑから第２端域１２側に位置する第２区域１７とを有し、第１溝４１と第２溝４２との交点Ｍは、第１区域１６に位置する。
（２）第１端域１１の横方向Ｘの寸法は第２端域１２の横方向Ｘの寸法よりも大きい。
（３）縦軸Ｐに沿う第１端域１１の端縁１０ａから交点Ｍまでの縦方向Ｙの寸法は、縦軸Ｐに沿う吸収パッド１０の縦方向Ｙの寸法Ｌ１の約２５〜５０％の大きさである。
（４）第１及び第２溝４１，４２は、交点Ｍに対して放射状に位置する凹溝部４１ａ，４２ａと、交点Ｍを含む交差部４１ｂ，４２ｂとを有し、交差部４１ｂ，４２ｂには溝が形成されていない。
（５）第１及び第２溝４１，４２は、曲状を有する。
（６）第１溝４１と第２溝４２とが縦軸Ｐに関して対称に配置される。
（７）折曲誘導溝４０は、縦軸Ｐ上において直状に延びる第３溝８０をさらに含む。
（８）第３溝８０は、縦軸Ｐ上において直状に延びる第１凹溝部８１と、縦軸Ｐから横方向Ｘの外側へ向かって斜めに延びる一対の第２凹溝部８２とを有する。
（９）第３溝８０の第２凹溝部８２は、曲状を有する。
（１０）折曲誘導溝４０は、その長さ方向において交互に配置される凸部７１と凹部７２とを有する圧搾条溝である。
（１１）吸液性コア２３の単位面積当たりの質量は、横方向Ｘにおける両側域３６よりも両側域３６の間に位置する中央域３５の方が大きい。
（１２）吸液性コア２３の中央域３５は、横軸Ｑの位置する中間部分と、縦方向Ｙにおいて離間する両端部分とを有し、縦方向Ｙにおいて離間対向する吸収パッド１０の第１及び第２端域１１，１２のうち、第２端域１２側に位置する一端部分における単位面積当たりの質量が、前記中間部分の単位面積当たりの質量よりも大きい。
【符号の説明】
【００４２】
１０    吸収パッド
１１    第１端域
１２    第２端域
１４    両側域
１５    中央域
１６    第１区域
１７    第２区域
２０    パッド本体
２１    身体側ライナ
２２    裏面シート
２３    吸液性コア
４０    折曲誘導溝
４１    第１溝
４２    第２溝
５０    バリアカフシート
６１    第１カバーシート
６２    第２カバーシート
８０    第３溝
【要約】
【課題】身体の形状に合わせて一部を外方へ凸曲させることによってフィット性を向上させることのできる男性用吸収パッドを提供すること。
【解決手段】互いに直交する縦方向（Ｙ）と横方向（Ｘ）と、肌対向面及びその反対側の非肌対向面と、前記横方向Ｘの寸法を二等分する縦軸（Ｐ）とを有し、透液性の身体側ライナ（２１）と、不透液性の裏面シート（２２）と、前記身体側ライナと前記裏面シートとの間に位置する吸液性コア（２３）とを有するパッド本体（２０）を含む男性用吸収パッド（１０）において、前記パッド本体は、前記肌対向面から前記非肌対向面側へ凹となる折曲誘導溝（４０）を有し、前記折曲誘導溝は、前記縦軸と交差して斜めに延びる第１溝（４１）と、前記縦軸と交差し、かつ、前記第１溝と交差する方向へ延びる第２溝（４２）とを有し、前記第１溝と前記第２溝との交点（Ｍ）は前記縦軸上に位置する。
【選択図】図１【図１】
0005514359.tif 000002
【図２】
0005514359.tif 000003
【図３】
0005514359.tif 000004
【図４】
0005514359.tif 000005
【図５】
0005514359.tif 000006
【図６】
0005514359.tif 000007
【図７】
0005514359.tif 000008
【図８】
0005514359.tif 000009
【図９】
0005514359.tif 000010
【図１０】
0005514359.tif 000011
【図１１】
0005514359.tif 000012
【図１２】
0005514359.tif 000013
【図１３】
0005514359.tif 000014
【図１４】
0005514359.tif 000015